(57)【要約】【課題】遊技機設計の自由度を最大限確保し、かつ誤検出に基づく誤作動を防止して磁石を用いた不正行為を検知可能な不正防止装置を提供する。【解決手段】遊技盤の入賞装置に設けられ制御装置との間で信号を入出力する回路基板２８に、磁力を検出する磁気検出素子５１を設け、制御装置には磁気検出素子５１において磁力が検出されたときに警報信号を出力する警報信号出力手段を設けて不正防止装置５０を構成する。【選択図】図４
2007185285.tif 000002
【特許請求の範囲】
【請求項１】
遊技球が入球可能な入賞口を有する入賞装置が設けられた遊技盤と、
前記入賞装置における入賞状態に基づいて遊技機の作動を制御する制御装置とを備えた弾球遊技機において、
前記入賞装置に設けられて前記制御装置との間で信号を入出力する回路基板に、磁力を検出する磁気検出素子を有し、
前記制御装置には前記磁気検出素子において磁力が検出されたときに警報信号を出力する警報信号出力手段を備えたことを特徴とする弾球遊技機の不正防止装置。
【請求項２】
前記入賞装置は、前記入賞口から入球した遊技球が通過する領域に応じて、前記入賞状態が抽選される入賞装置であることを特徴とする請求項１に記載の弾球遊技機の不正防止装置。
【請求項３】
前記回路基板は、前記入賞口から入球した遊技球が通過したときに、遊技者にとって有利な特別遊技が開始される特定領域の近傍に配設される回路基板であることを特徴とする請求項２に記載の弾球遊技機の不正防止装置。
【請求項４】
前記回路基板は、前記遊技盤の前面側に配設される回路基板であることを特徴とする請求項１から請求項３のいずれか一項に記載の弾球遊技機の不正防止装置。
【発明の詳細な説明】
【技術分野】
【０００１】
本発明は、パチンコ機やアレンジボール機、雀球遊技機などのように、遊技球が入球可能な入賞装置が設けられた遊技盤と、入賞装置における入賞状態に基づいて遊技機の作動を制御する制御装置とを備えた弾球遊技機の不正防止装置に関する。
【背景技術】
【０００２】
上記のような弾球遊技機は広く普及しており、特にパチンコ機では、液晶表示装置を利用して多様な遊技展開が可能であり、かつ一定の入賞状態（大当たり状態）になると短時間で多量の遊技球を獲得できる第１種のパチンコ機が遊技人口を急拡大させてきた。また近年では、保安規制上の第１種パチンコ機と第２種パチンコ機の両方の遊技機能を合体させた形態（第１種＋第２種）のパチンコ機も登場するようになっている。第２種のパチンコ機では、一定条件下、入賞装置に落入して転動する遊技球が特定の領域を通過すると大当たりが発生し、短時間で多量の遊技球を獲得できるようになっている。
【０００３】
一方、旧来から弾球遊技機における不正行為の代表例とされてきた磁石ゴト、すなわち磁石を用いて遊技球を入賞口に導く不正行為が再び活発に行われるようになってきており、特に大当たりを発生させる抽選が遊技球の転動経路により機械的に行われる第２種の遊技形態を含むパチンコ機において、その被害が大きな社会問題になってきている。このため、遊技施設の監視強化のみならず、遊技機メーカ各社においても磁石を用いた不正行為を早期に検知して警報を発するべく、不正防止装置の開発が進められている（例えば、特許文献１を参照）。
【０００４】
【特許文献１】特開２００２−３３１１２５号公報
【発明の開示】
【発明が解決しようとする課題】
【０００５】
しかしながら、従来の不正防止装置は、遊技機本体の各部に多岐的な難しい変更を求める構成になっていた。例えば、遊技機正面のガラス扉の前面に投光ユニットと受光ユニットとを設けて、ガラス扉の前面域の障害物を検出するような構成の不正防止装置では、投光ユニット及び受光ユニットを装着するガラス扉やこのガラス扉を開閉自在に支持する前枠の構造を変更する必要があり、また投受光ユニットを駆動するドライバーユニットの装着場所や、これらのユニットへの電源供給などが必要になり、結果的に遊技機全体の構成を変更しなければ実現することができないという問題があった。
【０００６】
またこのような形態の不正防止装置では、検出した障害物が磁石以外の物であっても警報する構成のため、例えば、遊技者が隣の遊技者と対話中に遊技盤を指さしただけで警報作動するような誤作動を防止できないという問題もあった。
【０００７】
本発明はこのような問題に鑑みてなされたものであり、遊技機本体に大きな変更を要求することなく設計の自由度を最大限確保し、かつ誤検出に基づく誤作動を防止して、磁石を用いた不正行為を適格に検知可能な不正防止装置を提供することを目的とする。
【課題を解決するための手段】
【０００８】
上記目的達成のため、本発明は、遊技球が入球可能な入賞口を有する入賞装置（例えば、実施形態における第２大入賞装置２０）が設けられた遊技盤と、入賞装置における入賞状態に基づいて遊技機の作動を制御する制御装置とを備えた弾球遊技機において、入賞装置に設けられて制御装置との間で信号を入出力する回路基板（例えば、実施形態における第１電飾基板２８）に磁力を検出する磁気検出素子を有し、制御装置には磁気検出素子において磁力が検出されたときに警報信号を出力する警報信号出力手段を備えて弾球遊技機の不正防止装置を構成する。
【０００９】
なお、上記入賞装置は、入賞口から入球した遊技球が通過する領域に応じて、入賞状態が抽選される入賞装置であることが好ましい。
【００１０】
また、上記回路基板は、入賞口から入球した遊技球が通過したときに、遊技者にとって有利な特別遊技が開始される特定領域（例えば、実施形態におけるＶゾーン２６）の近傍に配設される回路基板であることが好ましい。
【００１１】
また、上記回路基板は、遊技盤の前面側に配設される回路基板であることが好ましい。      
【００１２】
なお、警報信号を利用した警報作動の態様は、遊技機本体の構成や遊技施設の設備構成等に応じて適宜行うことができるが、例えば警報信号に基づく警報作動の例として、遊技機の表示装置に所定の警報画像を表示したり、遊技機各部に設けられた装飾ランプを全点滅させたり、スピーカから警報音を発生させ、あるいは遊技機各部の作動を規制するような遊技機単体での警報作動の他、外部出力端子から警報信号を出力して遊技島の警報表示灯を点滅させたり、遊技施設のホールコンピュータにアラーム表示を点滅させたりするような外部に対する警報作動等が例示される。
【発明の効果】
【００１３】
本発明に係る不正防止装置では、磁力を検出する磁気検出素子が入賞装置の回路基板に設けられており、この回路基板の間で信号を入出力する制御装置に磁気検出素子において磁力が検出されたときに警報信号を出力する警報信号出力手段が設けられている。すなわち、本発明の不正防止装置では、磁気検出素子が入賞装置内部の回路基板を利用して当該回路基板に設けられている。このため、ガラス扉や遊技盤、遊技盤を支持する前枠などを変更することなく、磁石を用いた不正行為を検知して警報作動させることが可能な不正防止装置を構成できる。また入賞装置内の回路基板に磁気検出素子が設けられる構成のため、予め箱状にパッケージされた磁気検出器を遊技盤の裏面に固定した場合のように遊技盤から後方に突出するようなこともなく、例えば遊技盤の後面側に取り付けられる図柄表示装置の制御基板や球通路が形成された裏セット盤などに影響を与えることもない。さらに、賞装置自体に磁力を検出する磁気検出素子が設けられているため、磁石以外の物を誤検出することがない一方、磁石を用いた不正行為を確実に検知することができる。
【００１４】
また、入賞口から入球した遊技球が通過する領域に応じて入賞状態が抽選される入賞装置（例えば始動入賞口を有する役物や特定領域と一般領域とを有する役物）に磁気検出素子を設けた構成によれば、種々の入賞装置の中で磁石による不正行為の対象になりやすい入賞装置に磁気検出素子が設けられることとなり、磁石を用いた不正行為を適切かつ確実に検知することができる。
【００１５】
また、入賞口から入球した遊技球が通過したときに、遊技者にとって有利な特別遊技が開始される特定領域の近傍に配設される回路基板に磁気検出素子を設けた構成によれば、遊技球による機械的な抽選が行われる入賞装置の中でも特に磁石による遊技球の誘導行為の対象になりやすい領域の近傍に磁気検出素子が設けられることとなり、磁石の存在を高感度で検出して不正行為を適切かつ確実に検知することができる。
【００１６】
また、遊技盤の前面側に配設される回路基板（例えば演出効果を高める発光ダイオードが実装された電飾基板や、内部抽選の貯留回数を表示するLED基板、７セグメントのLED表示器が実装された図柄表示基板などの回路基板）に磁気検出素子を設けた構成によれば、磁気検出素子が薄い樹脂製カバーの直後に位置して遊技盤の前面側に配設されるため、磁石の存在を高感度で検出することができる。また磁力の検出感度が比較的低い安価な検出素子を用いることも可能となり、不正防止装置を低コストに構成することができる。
【００１７】
従って、本発明によれば、遊技機本体に大きな変更を要求することなく設計の自由度を最大限確保し、かつ誤検出に基づく誤作動を防止して磁石を用いた不正行為を検知可能な不正防止装置を提供することができる。
【発明を実施するための最良の形態】
【００１８】
以下、本発明を実施するための形態について図面を参照しながら説明する。本発明に係る不正防止装置を適用した遊技機の一例として、図１及び図２にそれぞれパチンコ機の正面図及び背面図を示しており、まず、これらの図面を参照しながらパチンコ機ＰＭの全体構成について概略説明する。
【００１９】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ部材３ａ，３ｂを介して横開き開閉および着脱が可能に取り付けられ、正面右側に設けられた施錠装置４を利用して常には外枠１と係合連結された閉鎖状態に保持される。
【００２０】
前枠２の各部にはパチンコ機を構成する遊技機構成部材として、前枠２の前側面域に合わせた方形状のガラス扉５および球皿６が正面左側部に設けられたヒンジ機構を利用して横開き開閉および着脱が可能に組付けられ、球皿６の下側に発射ハンドル８および遊技球発射装置などが装備されている。前枠２の上方奥部には後方に突出する方形枠状の収容枠が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。
【００２１】
前枠２の裏側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には、遊技球を貯留する球貯留タンク３１、球貯留タンク３１に貯留された遊技球を整列させるタンクレール３２、タンクレール３２から導かれた遊技球を整列状態で待機させる待機通路部材３３、この待機通路に整列待機された遊技球を払い出す球払出装置３４、球払出装置３４から払い出された遊技球を球皿６に導く払い出し通路形成部材３５などが設けられている。また裏セット盤３０の裏面各部に、パチンコ機の作動を制御する制御装置３６や、遊技施設側にパチンコ機ＰＭの作動状況等を出力するターミナル基板３７、パチンコ機ＰＭの各部に電力を供給する電源ユニット３８等の各種基板や電子部品などが取り付けられ、各機器がワイヤーハーネスで接続されてパチンコ機ＰＭが動作可能に構成される。
【００２２】
このように概要構成されるパチンコ機ＰＭにおいて、遊技盤１０には、内外の案内レールに囲まれて遊技球が転動落下する略円形の遊技領域ＰＡが区画形成され、この遊技領域ＰＡに、図示しない遊技釘が多数打設されるとともに、中央の特別図柄表示装置１１や演出図柄表示装置１２が取り付けられたセンター飾りＣＤ、及びその下方の各部に、種々の入賞装置が設けられている。
【００２３】
遊技領域ＰＡの下部中央には、遊技球が入球可能な入賞口を有する第１始動入賞装置１３が設けられ、その下側に位置して遊技球が入球可能な入賞口を有する第２始動入賞装置１４が設けられている。第１始動入賞装置１３は固定型の入賞具であり、その入賞口１３ａが第１種パチンコ遊技機における始動口（以下、第１種始動口という）とされる。第１種始動口１３ａに落入した遊技球は、この入賞装置１３に設けられた遊技球検出器に検出され、遊技盤の裏面に排出されるようになっている。
【００２４】
第２始動入賞装置１４は、それぞれ左右に揺動開閉する羽根を有した開閉型の普通電動役物（いわゆる電動チューリップ）であり、その入賞口１４ａが第２種パチンコ遊技機における始動口（以下、第２種始動口という）とされる。第２種始動口１４ａに落入した遊技球は、この入賞装置１４に設けられた遊技球検出器に検出され、遊技盤の裏面に排出される。第２始動入賞装置１４は、始動入賞装置１３の直下に隣接して設けられており、左右の羽根が閉じた状態にあるときには、第２種始動口１４ａが第１始動入賞装置１３に塞がれて遊技球は入球することができず、左右の羽根が開いた状態にあるときに限って第２種始動入口１４ａに入球できるようになっている。
【００２５】
第２始動入賞装置１４の左方に、遊技球が通過可能な入賞口を有する普通図柄作動ゲート１５が設けられ、第２始動入賞装置１４の下方には、遊技球が入球可能な入賞口を有する第１大入賞装置１６が設けられている。普通図柄作動ゲート１５は通過形の固定入賞装置であり、入賞口（以下、通過入賞口という）に転入した遊技球が遊技球検出器の検出開口を上下に通過して検出され、そのまま遊技盤面を転動落下する。
【００２６】
第１大入賞装置１６は、前後に揺動開閉する横長方形の大型の開閉扉１６ｇを有した開閉型の特別電動役物であり、開閉扉１６ｇが開いたときに開口する大型の入賞口１６ａが第１種パチンコ遊技機における大入賞口（以下、第１種大入賞口という）とされる。第１大入賞装置１６の開閉扉１６ｇは常には閉鎖状態とされ、この前方を落下する遊技球が第１種大入賞口１６ａに転入することなくそのまま落下する。一方、所定条件成立に基づく特別遊技実行時には、開閉扉１６ｇを前方に傾倒させて第１種大入賞口１６ａを開口させ、この入賞口の前方を落下する遊技球を開閉扉１６ｇで受け止めて遊技球を第１種大入賞口１６ａの内部に導く。
【００２７】
第１種大入賞口１６ａの内部には、遊技球が通過し得る領域（球通路）として、特定領域と一般領域（非特定領域とも称される）の二つの領域が形成されており、それぞれに遊技球検出器が設けられている。このため、第１種大入賞口１６ａに転入した遊技球は、いずれかの領域を通過して遊技球検出器に検出された後、遊技盤１０の裏面側へ排出されるようになっている。第１種大入賞口１６ａの左右側部には、複数の発光ダイオードが実装された電飾基板が設けられており、開閉扉１６ｇが開放された特別遊技の展開時に発光ダイオードを点滅させて特別遊技を視覚的に演出するようになっている。
【００２８】
第１大入賞装置１６を挟む左右には、遊技球が入球可能な入賞口（以下、普通入賞口という）１８ａを有する複数の普通入賞装置１８が設けられている。普通入賞装置１８は固定型の入賞具であり、普通入賞口１８ａに落入した遊技球がこの入賞装置に設けられた遊技球検出器に検出され、遊技盤の裏面に排出されるようになっている。正面左側の普通入賞装置には、普通図柄作動ゲート１５での遊技球の通過を契機として行われる内部抽選の結果に基づいて普通図柄を変動表示する普通図柄表示装置１７が回路基板に実装されて取り付けられている。遊技領域ＰＡの下端には、これらの入賞装置に転入せずに落下した遊技球を遊技盤１０の裏面側へ排出させるアウト口１９が設けられている。
【００２９】
センター飾りＣＤは、図３に斜め前方からの斜視図を、図４に正面図を示すように、液晶表示装置を利用した演出図柄表示装置１２の周囲を囲む多層構成の枠状に形成されており、このセンター飾り全体を利用して、遊技球が入球可能な入賞口を有する第２大入賞装置２０が構成される。
【００３０】
すなわち、第２大入賞装置２０は、センター飾りＣＤの左枠部に設けられ左右に揺動開閉する縦長方形の大型の開閉扉２０ｇを有した開閉型の特別電動役物であり、開閉扉２０ｇが開いたときに開口する大型の入賞口２０ａが第２種パチンコ遊技機における大入賞口（以下、第２種大入賞口という）とされ、第２種大入賞口２０ａに入球した遊技球の通過領域として特定領域と一般領域とが設けられている。
【００３１】
センター飾りの左枠部には、第２種大入賞口２０ａに入球した遊技球を、枠部内側の内部遊技空間２０ｓに導く導入通路２１が形成されており、この導入通路２１の終端部が内部遊技空間の後部に左右に延びて形成された第１転動ステージ２２に繋がっている。第１転動ステージ２２は、中央部とその左右に３箇所の谷部を有して遊技球が転動自在な波形に形成されており、３箇所の谷部には、前方に緩く下傾する誘導椀部２２ｂ，２２ａ，２２ｂが形成されて、第１転動ステージ２２を転動する遊技球がこれら３箇所の誘導椀部から前方に転落しやすいようになっている。
【００３２】
第１転動ステージ２２の前方に位置する立設壁面に、左右に並んで２つの回転体２３Ｌ，２３Ｒが設けられている。左右の回転体は、前後に延びてわずかに先太円柱状に形成されたボス部と、このボス部から９０度ピッチで外周方向に突出して形成された長短二種類の羽根部とを備え、長い羽根部同士、短い羽根部同士が対となるように、各ボス部の軸線を中心として左右の回転体２３Ｌ，２３Ｒが逆方向に、例えば左側の回転体２３Ｌが時計廻りに、右側の回転体が反時計廻りに回転駆動される。
【００３３】
羽根部はボス部の軸線に対して前後に傾斜して形成されており、各羽根部が中央の誘導椀部２２ａ側にあるときに羽根部上面が前方に下傾し、各羽根部が左右の誘導椀部２２ｂ側にあるときに羽根部上面が後方に下傾するようになっている。また、羽根部の突出高さは、長い羽根同士が中央寄りの回転角度位置に来たときにボス部の間隙を閉鎖し、短い羽根同士が中央寄りの回転角度位置に来たときには遊技球が通過可能な程度の隙間が形成されるようになっている。このため、中央の誘導椀部２２ａがら前方に落下した遊技球は、その落下時における回転体の回転角度位置に応じて前方に誘導され、あるいはボス部の間を通って下方に落下する。
【００３４】
左右の回転体２３Ｌ，２３Ｒの下方には、羽根部に受け止められることなく第１転動ステージ２２から落下してきた遊技球を集合させて遊技盤の裏面側に流下させる凹溝状の集合排出路２４が形成され、センター飾りの裏面側には遊技球の通過を検出する遊技球検出器が設けられている。集合排出路２４は、この第２大入賞装置２０における一般領域とされる。左右の回転体２３Ｌ，２３Ｒの前方には、中央に凸部を有しその左右にＶ字状の第２転動ステージ２５が形成されている。第２転動ステージ２５の転動面は緩く後方に下傾しており、この第２転動ステージ２５に受け止められた遊技球が集合排出通路２４に導かれるようになっている。そして、左右の第２転動ステージに挟まれた中央の凸部に上方に開口して遊技球が転入可能な入賞口２６が形成されるとともに、遊技球の通過を検出する遊技球検出器が設けられており、この入賞口２６が第２大入賞装置２０における特定領域（以下、Ｖゾーンという）になっている。
【００３５】
第２転動ステージ２５の前方に第３転動ステージ２７が形成され、開閉扉２０ｇの下方に開口形成された導入口に落入した遊技球が第３ステージ２７に導かれるようになっている。第３転動ステージ２７の転動面は中央が低い円弧状に形成されるともに、中央部には前方に下傾する誘導椀部２７ａが形成されている。なお誘導椀部２７ａは前述した第１始動入賞装置１３の上方に位置して配設され、この誘導椀部２７ａから真っ直ぐ前方に落下した遊技球が第１種始動口１３ａに入球しやすくなっている。
【００３６】
第２大入賞装置２０の開閉扉２０ｇは常には閉鎖状態とされ、この開閉扉の左側方を落下する遊技球は第２種大入賞口２０ａに転入することなくそのまま落下し、または開閉扉２０ｇの下方に開口形成された導入口から第３ステージ２７に導かれる。一方、所定条件成立に基づく特別遊技実行時には、開閉扉２０ｇを左方に傾倒させて第２種大入賞口２０ａを開口させ、この入賞口の側方を落下する遊技球を開閉扉２０ｇで受け止めて遊技球を第２種大入賞口２０ａから内部遊技空間２０ｓに導く。上述したように、内部遊技空間２０ｓには、遊技球が通過し得る領域として、集合排出路２４（一般領域）とＶゾーン２６（特定領域）との二つの領域が形成されており、それぞれを識別し得るように遊技球検出器が設けられている。このため、第２種大入賞口２０ａに転入した遊技球は、いずれの領域を通過したかが検出された後、遊技盤１０の裏面側へ排出されるようになっている。
【００３７】
第１転動ステージ２２前方の立設壁面及び第２転動ステージ２５前方の立設壁面には、それぞれ複数の発光ダイオードが実装された第１電飾基板２８及び第２電飾基板２９がそれぞれ設けられており、開閉扉２１ｇが開放された特別遊技の展開時に、発光ダイオードを点滅させて特別遊技を視覚的に演出するようになっている。なお本実施例では第１転動ステージ２２及び第２転動ステージ２５の構成部材を透明な樹脂材料で形成し、発光ダイオードの光を透過させて視認させるように構成しているが、発光ダイオード２２ａの前面位置に壁面を貫通する窓を設け、この窓を透過させて視認させるように構成してもよい。第１電飾基板２８及び第２電飾基板２９の作動は制御装置３６からの制御信号に基づいて制御される。
【００３８】
このような遊技盤１０を備えたパチンコ機ＰＭは、第１種パチンコ遊技機の機能と第２種パチンコ遊技機の機能の両方を備えた複合型の遊技機であり、その作動は制御装置３６により概略以下のように制御される。なお、初期状態では第１大入賞装置１６の開閉扉１６ｇ及び第２大入賞装置２０の開閉扉２０ｇはともに閉じており、各大入賞口１６ａ，２０ａは閉鎖された状態になっている。
【００３９】
遊技者の発射操作により遊技領域ＰＡに打ち出された遊技球は、遊技釘に弾かれながら遊技領域ＰＡを転動落下し、遊技領域の下部において、あるものは普通入賞口１８ａに落入し、あるいはセンター飾りの導入口から第３転動ステージ２７を経由して第１種始動口１３ａに転入し、または普通図柄作動ゲート１５を通過する他、大部分の遊技球はこれらの入賞装置に入賞することなく、下端のアウト口１９から遊技盤１０の裏面側に導出され、裏セット盤３０に形成された遊技済み球排出通路を経て遊技島の回収装置に排出される。
【００４０】
普通入賞口１８ａに遊技球が落入すると、入球した遊技球が普通入賞装置１８内部の遊技球検出器に検出され、その検出信号が制御装置３６に入力される。制御装置３６は球払出装置３４に払出指令信号を出力し、普通入賞装置１８に入賞した場合の褒賞として定められた所定数量の遊技球を球皿６に払い出させる。普通入賞口１８ａに落入して遊技盤の１０裏面に導かれた遊技球は、アウト球とともに裏セット盤３０の遊技済み球排出通路を経て遊技島の回収装置に排出される。なお他の入賞装置に入賞した遊技有も同様にして遊技島の回収装置に排出される。
【００４１】
第１種始動口１３ａに遊技球が落入すると、入球した遊技球が第１始動入賞装置１３内部の遊技球検出器に検出され、その検出信号が制御装置３６に入力される。制御装置３６は内部抽選を行い、その抽選結果に基づいて特別図柄表示装置１１及び演出図柄表示装置１２を作動させ、当たり図柄または外れ図柄を所定の演出パターンで変動表示させる。そして、この抽選結果が大当たりである場合に、演出図柄表示装置１２に大当たりの図柄（例えば７．７．７）を表示させるとともに、第１大入賞装置１６の開閉扉１６ｇを前方に傾倒させて第１種大入賞口１６ａを開口させ、特別遊技を実行させる。すなわち、第１始動入賞装置１３、第１大入賞装置１６、制御装置３６等により第１種パチンコ遊技機が構成される。なお以降展開される特別遊技については既に周知であるため説明を省略する。
【００４２】
一方、遊技球が普通図柄作動ゲート１５を通過してこのゲートに設けられた遊技球検出器から検出信号が制御装置３６に入力されると、制御装置３６は内部抽選を行い、抽選結果に基づいて普通図柄表示装置１７を作動させ、当たり図柄または外れ図柄を所定の演出パターンで変動表示させる。この抽選結果が当たりであるときに第２始動入賞装置１４の左右の羽根を揺動開閉して第２種始動口１４ａを０．５秒程度拡開し、この間に第２種始動口１４ａへの入球が遊技球検出器により検出されると、第２大入賞装置２０の開閉扉２０ｇを揺動開閉して第２種大入賞口２０ａを数秒程度開口させる。
【００４３】
第２種大入賞口２０ａが開口されると、センター飾りの左枠部に沿って落下する遊技球が開閉扉２０ｇに受け止められて内部遊技空間２０ｓの第１転動ステージ２２に導かれ、この転動ステージに形成された３箇所の誘導椀部２２ｂ，２２ａ，２２ｂから前方に落下する。これらの落下球の大部分は直接集合排出路２４に落下し、あるいは回転体２３Ｌ，２３Ｒの羽根に弾かれた遊技球が第２転動ステージ２５を経由して集合排出路２４に落下して遊技盤の裏面側に排出される。集合排出路２４（一般領域）を通過する遊技球が遊技球検出器に検出されて信号が制御装置３６に入力されると、制御装置３６は球払出装置３４に払出指令信号を出力し、一般領域に入賞した場合の褒賞として定められた所定数量の遊技球を球皿６に払い出させる。
【００４４】
一方、中央の誘導椀部２２ａから前方に落下する遊技球は、その落下タイミングにおける左右の回転体２３Ｌ，２３Ｒの羽根の回転角度位置が、長い羽根が略水平になって間の間隙を塞ぐ状態になっている場合には、左右の羽根に受け止められて前方に誘導され、上方に開口するＶゾーン２６に転入する。Ｖゾーン２６は第２大入賞装置２０における特定領域であり、このＶゾーン２６への入球が遊技球検出器により検出されてその信号が制御装置３６に入力されると、大当たりとなって開閉扉２０ｇが左方に傾倒され、第２種大入賞口２０ａが断続的に開放される特別遊技が展開される。すなわち、センター飾りＣＤの内部遊技空間２０ｓは、第２種大入賞口２０ａから入球した遊技球が通過する領域に応じて、入賞状態が当たりか外れかを機械的に抽選する入賞装置であり、第２始動入賞装置１４、第２大入賞装置２０、制御装置３６等により第２種パチンコ遊技機が構成される。なお以降展開される特別遊技については既に周知であるため説明を省略する。
【００４５】
さて、以上のように構成されるパチンコ機ＰＭにあって、第２大入賞装置２０に設けられた第１電飾基板２８に磁気検出素子５１が実装されており、その検出信号が制御装置３６に入力されている。
【００４６】
第１電飾基板２８は、第１転動ステージ２２前方の立設壁面の背後に設けられたプリント配線基盤であり、その概略構成図（正面図）を図４中に示し、図４中のV−V矢視の側断面図を図５に示すように、複数の発光ダイオード２８ａ，２８ａ…が基板実装されており、第２大入賞装置において特別遊技が実行されるときに、発光ダイオード２８ａを点滅させて特別遊技を視覚的に演出するようになっている。
【００４７】
磁気検出素子５１は、この第１電飾基板２８の中央部、より具体的には中央の誘導椀部２２ａの下側に位置して基板に実装されている。図示する実施例では、磁気検出素子５１としてリードスイッチを用いた構成例を示しており、小型、低コストに磁気検出回路を構成している。なお磁気検出素子は、ホール素子や磁気抵抗素子など他の素子を用いることも可能である。
【００４８】
図６に不正防止装置５０の概要構成をブロック図として示すように、不正防止装置５０は、磁気検出素子５１と、この磁気検出素子５１の信号を受ける制御装置３６の内部回路を主体として構成される。
【００４９】
制御装置３６には、磁気検出素子５１から入力される信号を受けて当該検出器において磁力が検出されたか否かを判定する判定手段５３と、この判定手段において磁力が検出されたと判定されたときに警報信号を出力する警報信号出力手段５４が設けられている。判定手段５３は、例えば、磁気検出素子５１としてノーマルオープンタイプのリードスイッチを用いた場合には、スイッチ接点がオープン状態であれば磁力が検出されない旨の判定信号（例えばLowレベルの信号）を出力し、スイッチ接点がクローズ状態になったときに磁力が検出された旨の判定信号（例えばHighレベルの信号）を出力する。警報信号出力手段５４は、判定手段５３から磁力が検出された旨の判定信号が入力されたときに警報信号を出力し、所定のリセット操作が成されるまでこの警報信号を自己保持する。
【００５０】
警報信号を利用した警報作動には、種々の実施形態があるが、その代表例として、図６に示すように、パチンコ機ＰＭ自身において所定の警報を報知する自機警報手段５６、パチンコ機ＰＭの外部に警報を報知する外部警報手段５７、パチンコ機の所定の作動を規制する作動規制手段５８などが例示され、これらの手段を単独で、または複合的に作動させることが可能である。
【００５１】
自機警報手段５６は、例えばパチンコ機ＰＭの演出図柄表示装置１２に所定の警報画像を表示したり、ガラス扉５や遊技盤１０に設けられた装飾ランプを全点滅させたり、スピーカから警報音を発生させるように構成することができる。また、外部警報手段５７は、ターミナル基板３７を介して遊技施設側に警報信号を出力し、例えば遊技島の警報表示灯を点滅させたり、遊技施設のホールコンピュータにアラーム表示を点滅させたりするように構成することができる。作動規制手段５８は、例えば球払出装置３４による払い出し作動や遊技球発射装置による発射作動を規制し、あるいは特別遊技の実行を停止させるように構成することができる。
【００５２】
このため、第２大入賞装置２０の近傍に磁石を近づけると、その磁力を磁気検出器５１が検出して警報信号出力手段５４から警報信号が出力され、この警報信号に基づいて種々の警報作動を行わせることができ、これにより、不正行為が行われようとしたときに、その状況を直ちに検知し得るとともに、不正行為に基づく不当な遊技球獲得を阻止することができる。
【００５３】
そして、以上説明した不正防止装置５０によれば、第２大入賞装置２０に設けられた回路基板に磁気検出素子５１が設けられる構成のため、前枠２やガラス扉５、遊技盤１０、裏セット盤３０などを何ら変更することなく不正防止装置を構成することができ、かつ磁石以外の物を誤検出することなく磁石を用いた不正行為を確実に検知して警報することができる。
【００５４】
また、大入賞口２１ａから入球した遊技球が転動して通過する領域が、Ｖゾーン（特定領域）２６か、または集合排出路（一般領域）２４かに応じて入賞状態が抽選される第２大入賞装置２０に磁気検出素子５１を設け、かつ遊技者にとって有利な特別遊技が開始されるＶゾーン２６の直後に磁気検出素子５１を配設した構成にしている。すなわち、パチンコ機ＰＭにおける種々の入賞装置１３，１４，１５，１８，２０の中でも磁石による不正行為の対象になりやすい第２大入賞装置２０に磁気検出素子を設け、かつ磁石による遊技球の誘導行為の対象になりやすいＶゾーン２６の直後に磁気検出素子を設た構成にしている。このため、不正行為を適切かつ確実に検知することができる。
【００５５】
さらに、磁気検出素子５１が、遊技盤１０の前面側に配設される第１電飾基板２８に設けられる構成のため、磁石の存在を高感度で検出することができるとともに、磁力の検出感度が比較的低い安価な検出素子を用いることも可能となり、不正防止装置５０を低コストに構成することができる。
【００５６】
なお、磁気検出素子を第２電飾基板２９や、第１大入賞装置１６の左右何れかの電飾基板に設ける構成としてもよい。磁気検出素子５１を第２電飾基板２９に設ける構成によれば、第１始動入賞具１３や第２始動入賞具１４に対する不正行為を効果的に検出することができる。また、本実施形態では、本発明に係る不正防止装置が適用される弾球遊技機の一例として、いわゆる第１種＋第２種のパチンコ機を例示したが、本発明はこのような形態のパチンコ機に限定されるものではなく、例えば、第１種、第２種、第３種の各パチンコ機や各種複合形態のパチンコ機、アレンジボール、雀球遊技機等の弾球遊技機についても同様に適用し同様の効果を得ることができるものである。
【図面の簡単な説明】
【００５７】
【図１】本発明が適用される弾球遊技機の一例として示すパチンコ機の正面図である。
【図２】上記パチンコ機の背面図である。
【図３】上記パチンコ機の遊技盤に設けられたセンター飾りの斜視図である。
【図４】上記センター飾りの正面図及び第１電飾基板の概略構成図である。
【図５】図４中のV−V矢視の側断面図である。
【図６】本発明に係る不正防止装置の概要構成を示すブロック図である。
【符号の説明】
【００５８】
ＰＭ  パチンコ機（弾球遊技機）
１０  遊技盤
２０  第２大入賞装置
２０ａ  第２種大入賞口
２４  集合排出路（一般領域）
２６  Ｖゾーン（特定領域）
２８  第１電飾基板（回路基板）
５０  不正防止装置
５１  磁気検出素子
５３  判定手段
５４  警報信号出力手段
５６  自機警報手段
５７  外部警報手段
５８  作動規制手段
【図１】
2007185285.tif 000003
【図２】
2007185285.tif 000004
【図３】
2007185285.tif 000005
【図４】
2007185285.tif 000006
【図５】
2007185285.tif 000007
【図６】
2007185285.tif 000008